(57)【特許請求の範囲】
【請求項１】
電気分解される水が供給される電解室が形成された電解槽と、
前記電解室内で、互いに対向して配置された陽極給電体及び陰極給電体と、
前記陽極給電体と前記陰極給電体との間に配され、かつ、前記電解室を前記陽極給電体側の陽極室と、前記陰極給電体側の陰極室とに区分する隔膜と、
水を吐出する吐水モードを、前記陰極室で生成された電解還元水を吐出する還元水モード又は前記陽極室で生成された電解酸性水を吐出する酸性水モードに選択的に切り替えるモード切替手段と、
前記吐水モードが前記還元水モードであるとき前記電解還元水を吐出し、前記吐水モードが前記酸性水モードであるとき前記電解酸性水を吐出する吐水口と、
前記吐水モードが前記還元水モードであるとき前記電解酸性水を排出し、前記吐水モードが前記酸性水モードであるとき前記電解還元水を排出する排水口とを備えた電解水生成装置であって、
非接触で人体を検知する人体検知センサーと、
前記人体検知センサーが人体を検知し、かつ、前記吐水モードが前記還元水モードである場合には、前記吐水口から前記電解還元水を吐出させ、前記人体検知センサーが人体を検知し、かつ、前記吐水モードが前記酸性水モードである場合には、前記吐水口からの前記電解酸性水の吐出を防止する吐水制御手段とをさらに備えたことを特徴とする電解水生成装置。
【請求項２】
前記吐水制御手段は、前記吐水モードが前記酸性水モードである場合には、前記陽極給電体及び陰極給電体への給電を停止する請求項１記載の電解水生成装置。
【請求項３】
前記吐水制御手段は、前記吐水モードが前記酸性水モードである場合には、前記吐水口から水を吐出させない請求項１又は２に記載の電解水生成装置。
【請求項４】
前記吐水制御手段は、前記吐水口から吐出させる水のｐＨ値を検知するｐＨ検知手段を有し、
前記人体検知センサーが人体を検知し、前記吐水モードが前記還元水モードであり、かつ、前記ｐＨ検知手段によって検知されたｐＨ値が予め定められた範囲内にある場合にのみ、前記吐水口から前記電解還元水を吐出させる請求項１乃至３のいずれかに記載の電解水生成装置。
【請求項５】
前記ｐＨ検知手段がｐＨセンサーである請求項４記載の電解水生成装置。
【請求項６】
前記ｐＨ検知手段が、前記陽極給電体又は前記陰極給電体に流れる電流を検知する電流計と、前記電解槽室に供給される水の流量を検知する流量センサーと、前記電流計によって検知された電流及び前記流量センサーによって検知された流量からｐＨ値を算出するｐＨ算出手段とを含む請求項５記載の電解水生成装置。
【請求項７】
前記ｐＨ値の予め定められた範囲は、７〜１０である請求項４乃至６のいずれかに記載の電解水生成装置。
【請求項８】
前記電解水生成装置の使用開始から、予め定められた期間において、前記ｐＨ値の予め定められた範囲は、８以下である請求項７記載の電解水生成装置。
【発明の詳細な説明】
【技術分野】
【０００１】
本発明は、水を電気分解して電解水を生成する電解水生成装置に関する。
【背景技術】
【０００２】
従来、隔膜で仕切られた陽極室と陰極室とを有する電解槽を備え、電解槽に供給される原水等を電気分解する電解水生成装置が知られている。近年、その使い勝手を高めるために、吐水及び止水を非接触の入力で行なう電解水生成装置が提案されている（例えば、特許文献１参照）。また、吐水を自動的に行なうために、吐水口の近傍に人体検知センサーを備えた自動水栓が提案されている（例えば、特許文献２参照）。
【先行技術文献】
【特許文献】
【０００３】
【特許文献１】特開２００２−２３３８７２号公報
【特許文献２】特許５１５３５９４号公報
【０００４】
一般に、電解水生成装置は、陰極室で生成された電解還元水を吐水口から吐出する還元水モードの他、陽極室で生成された電解酸性水を吐水口から吐出する酸性水モードで動作可能に構成されている。還元水モードで吐出される電解還元水は、胃腸症状の改善に有効であり、飲用に適している。一方、酸性水モードで吐出される電解酸性水は、飲用には適していないため、取り扱いに注意が必要である。
【０００５】
しかしながら、上記特許文献１に示される電解水生成装置に上記特許文献２に示された人体検知センサーを適用して、電解還元水及び電解酸性水の吐出を非接触で入力する場合、ユーザーが無意識のうちに吐水口から電解酸性水を吐出させて、誤用してしまうおそれがある。
【発明の概要】
【発明が解決しようとする課題】
【０００６】
本発明は、以上のような実状に鑑み案出されたもので、吐水の入力を非接触で自動的に行なって使い勝手を高めると共に、電解酸性水の誤用を抑制できる電解水生成装置を提供することを主たる目的としている。
【課題を解決するための手段】
【０００７】
本発明は、電気分解される水が供給される電解室が形成された電解槽と、前記電解室内で、互いに対向して配置された陽極給電体及び陰極給電体と、前記陽極給電体と前記陰極給電体との間に配され、かつ、前記電解室を前記陽極給電体側の陽極室と、前記陰極給電体側の陰極室とに区分する隔膜と、水を吐出する吐水モードを、前記陰極室で生成された電解還元水を吐出する還元水モード又は前記陽極室で生成された電解酸性水を吐出する酸性水モードに選択的に切り替えるモード切替手段と、前記吐水モードが前記還元水モードであるとき前記電解還元水を吐出し、前記吐水モードが前記酸性水モードであるとき前記電解酸性水を吐出する吐水口と、前記吐水モードが前記還元水モードであるとき前記電解酸性水を排出し、前記吐水モードが前記酸性水モードであるとき前記電解還元水を排出する排水口とを備えた電解水生成装置であって、非接触で人体を検知する人体検知センサーと、前記人体検知センサーが人体を検知し、かつ、前記吐水モードが前記還元水モードである場合には、前記吐水口から前記電解還元水を吐出させ、前記人体検知センサーが人体を検知し、かつ、前記吐水モードが前記酸性水モードである場合には、前記吐水口からの前記電解酸性水の吐出を防止する吐水制御手段とをさらに備えたことを特徴とする。
【０００８】
本発明に係る前記電解水生成装置において、前記吐水制御手段は、前記吐水モードが前記酸性水モードである場合には、前記陽極給電体及び陰極給電体への給電を停止することが望ましい。
【０００９】
本発明に係る前記電解水生成装置において、前記吐水制御手段は、前記吐水モードが前記酸性水モードである場合には、前記吐水口から水を吐出させないことが望ましい。
【００１０】
本発明に係る前記電解水生成装置において、前記吐水制御手段は、前記吐水口から吐出させる水のｐＨ値を検知するｐＨ検知手段を有し、前記人体検知センサーが人体を検知し、前記吐水モードが前記還元水モードであり、かつ、前記ｐＨ検知手段によって検知されたｐＨ値が予め定められた範囲内にある場合にのみ、前記吐水口から前記電解還元水を吐出させることが望ましい。
【００１１】
本発明に係る前記電解水生成装置において、前記ｐＨ検知手段がｐＨセンサーであることが望ましい。
【００１２】
本発明に係る前記電解水生成装置において、前記ｐＨ検知手段が、前記陽極給電体又は前記陰極給電体に流れる電流を検知する電流計と、前記電解槽室に供給される水の流量を検知する流量センサーと、前記電流計によって検知された電流及び前記流量センサーによって検知された流量からｐＨ値を算出するｐＨ算出手段とを含むことが望ましい。
【００１３】
本発明に係る前記電解水生成装置において、前記ｐＨ値の予め定められた範囲は、７〜１０であることが望ましい。
【００１４】
本発明に係る前記電解水生成装置において、前記電解水生成装置の使用開始から、予め定められた期間において、前記ｐＨ値の予め定められた範囲は、８以下であることが望ましい。
【発明の効果】
【００１５】
本発明の電解水生成装置は、電気分解される水が供給される電解室が形成された電解槽と、電解室内で、互いに対向して配置された陽極給電体及び陰極給電体と、陽極給電体と陰極給電体との間に配され、電解室を陽極室と陰極室とに区分する隔膜と、吐水モードを還元水モード又は酸性水モードに選択的に切り替えるモード切替手段と、非接触で人体を検知する人体検知センサーとを備える。吐水制御手段は、吐水モードが還元水モードである場合に、人体検知センサーが人体を検知すると、吐水口から電解還元水を吐出させる。これにより、ユーザーによる手かざし等の簡便な動作によって吐水口から電解還元水が吐出され、電解水生成装置の使い勝手が高められる。一方、吐水モードが酸性水モードである場合には、人体検知センサーが人体を検知しても、吐水制御手段は、吐水口からの電解酸性水の吐出を防止する。これにより、ユーザーが無意識のうちに吐水口から電解酸性水を吐出させることが抑制され、電解酸性水の誤用を抑制することが可能となる。
【図面の簡単な説明】
【００１６】
【図１】本発明の電解水生成装置の一実施形態の概略構成を示すブロック図である。
【図２】図１の水栓部の外観を示す斜視図である。
【図３】図１の制御部の動作の一形態を示すフローチャートである。
【図４】本発明の電解水生成装置の別の実施形態の概略構成を示すブロック図である。
【図５】図４の制御部の動作の一形態を示すフローチャートである。
【図６】図４の制御部の動作の別の形態を示すフローチャートである。
【発明を実施するための形態】
【００１７】
以下、本発明の実施の一形態が図面に基づき説明される。
図１は、本実施形態の電解水生成装置１の概略構成を示している。本実施形態では、電解水生成装置１として、例えば、家庭の飲用水の生成に用いられる家庭用電解水生成装置が示されている。
【００１８】
電解水生成装置１は、電解水を生成する本体部２と、電解水の吐出及び止水を行なう水栓部６とを備えている。
【００１９】
本体部２は、原水を浄化する浄水カートリッジ３と、浄化された水を電気分解する電解室４が形成された電解槽５とを備えている。本体部２は、例えば、キッチンのシンクの下方に収納される。
【００２０】
浄水カートリッジ３には、原水が供給される。原水には、一般的には水道水が利用されるが、その他、例えば、井戸水、地下水等を用いることができる。浄水カートリッジ３は、原水を濾過により浄化し、得られた浄水を電解室４に供給する。
【００２１】
電解室４の内部には、陽極給電体４１及び陰極給電体４２が互いに対向して配置されている。陽極給電体４１と陰極給電体４２との間には隔膜４３が配設されている。隔膜４３は、電解室４を陽極給電体４１側の陽極室４ａと陰極給電体４２側の陰極室４ｂとに区分する。
【００２２】
電解室４の陽極室４ａ及び陰極室４ｂの両方に水が供給され、陽極給電体４１及び陰極給電体４２に直流電圧が印加されることにより、電解室４内で水の電気分解が生ずる。
【００２３】
隔膜４３は、電気分解で生じたイオンを通過させる。隔膜４３を介して陽極給電体４１と、陰極給電体４２とが電気的に接続される。電解室４内で水が電気分解されることにより、陰極室４ｂで電解還元水が得られ、陽極室４ａで電解酸性水が得られる。
【００２４】
陰極室４ｂでは、電気分解によって水素ガスが発生し、陰極室４ｂ内の水に溶け込む。従って、陰極室４ｂで得られた電解還元水は、電解水素水とも称され、活性酸素の除去に有効とされる。
【００２５】
陰極室４ｂで得られた電解還元水及び陽極室４ａで得られた電解酸性水は、流路切替弁２１を介して水栓部６に供給され、吐出される。流路切替弁２１は、陰極室４ｂで得られた電解還元水の流路と、陽極室４ａで得られた電解酸性水の流路とを分離しながら、接続先を切り替え可能に構成されている。
【００２６】
水栓部６は、ユーザーによって操作される操作部（モード切替手段）７と、電解室４で得られた電解還元水又は電解酸性水を吐出する吐水口８と、電解酸性水又は電解還元水を排出する排水口９と、非接触で人体を検知する人体検知センサー１３と、本体部２に原水を供給する電磁弁（吐水制御手段）１４と、電解水生成装置１各部の制御を司る制御部（モード切替手段、吐水制御手段）１５とを備える。
【００２７】
図２は、水栓部６の外観を示している。水栓部６は、例えば、キッチンのシンク周辺に設置される。本実施形態の水栓部６は、浄水、電解水の他、原水、湯の吐水及び止水を行なう混合水栓である。
【００２８】
本実施形態の水栓部６は、上記操作部７、吐水口８、排水口９、人体検知センサー１３及び制御部１５に加えて、原水又は湯を吐出するときユーザーによって操作される第１ハンドル１１と、浄水又は電解水を吐出するときユーザーによって操作される第２ハンドル１２を備えている。
【００２９】
本実施形態の操作部７は、タッチパネルによって構成されている。タッチパネルには、例えば、特開２０１３−１３８９９６号公報に開示されている静電容量方式タッチパネル、感圧式タッチパネル等が適用されうる。操作部７は、タッチ操作に応じた信号を制御部１５に出力する。
【００３０】
ユーザーは、操作部７をタッチ操作することにより、電解水生成装置１の吐水モードを切り替えることができる。切替可能な吐水モードには、水栓部６から電解還元水を吐出させる「還元水モード」及び水栓部６から電解酸性水を吐出する「酸性水モード」が含まれる。
【００３１】
吐水口８は、吐水モードの切り替えによって選択された電解還元水又は電解酸性水の他、原水及び湯を吐出する。すなわち、吐水モードが「還元水モード」であるとき、吐水口８から電解還元水が吐出され、吐水モードが「酸性水モード」であるとき、吐水口８から電解酸性水が吐出される。上述した流路切替弁２１が陰極室４ｂに連通する流路及び陽極室４ａに連通する流路を切り替えることにより、選択された電解水が吐水口８から吐出される。
【００３２】
排水口９は、吐水モードの切り替えによって選択されなかった電解酸性水又は電解還元水を排出する。すなわち、吐水モードが「還元水モード」であるとき、排水口９から電解酸性水が吐出され、吐水モードが「酸性水モード」であるとき、排水口９から電解還元水が吐出される。流路切替弁２１が陰極室４ｂに連通する流路及び陽極室４ａに連通する流路を切り替えることにより、選択されなかった電解水が排水口９から排出される。本実施形態では、排水口９は、吐水口８よりも小径のパイプで形成されている。
【００３３】
第１ハンドル１１は、原水又は湯を吐水口８から手動によって吐出させるときに操作される、例えば、混合栓である。第２ハンドル１２は、浄水又は電解水を吐水口８から手動によって吐出させるときに操作される。第１ハンドル１１及び第２ハンドル１２については、特開２０１３−１３８９９６号公報に開示されているものと同等であるため、その説明は省略される。
【００３４】
人体検知センサー１３は、例えば、赤外線を検知する赤外線検知部を有し、人体から放射された赤外線又は人体によって反射された赤外線を検知することにより、非接触で人体を検知する。後者の場合、赤外線を照射する赤外線照射部を有する。本実施形態では、人体検知センサー１３は、例えば、吐水口８の正面に設けられている。ユーザーが吐水口８の正面で手をかざすことにより、人体検知センサー１３によって人体が検知される。
【００３５】
図１に示される電磁弁１４は、浄水カートリッジ３の上流側に設けられている。電磁弁１４は、第２ハンドル１２の操作及び人体検知センサー１３の検知結果に応じて開閉する。電磁弁１４の開閉によって、浄水カートリッジ３への原水の供給が制御され、ひいては、吐水口８から吐出させる電解水が制御される。
【００３６】
制御部１５は、水栓部６の内部に実装されている。制御部１５は、本体部２の側に設けられていてもよい。制御部１５は、操作部７及び人体検知センサー１３から入力された信号に応じて、電解水生成装置１の各部を制御する。例えば、制御部１５は、陽極給電体４１及び陰極給電体４２に印加する直流電圧を制御する。また、制御部１５は、流路切替弁２１を制御することにより、陰極室４ｂ及び陽極室４ａと吐水口８及び排水口９との連通状態を制御する。さらに、制御部１５は、電磁弁１４の開閉動作を制御することにより、電解室４への浄水の供給を制御し、ひいては、吐水口８からの電解水の吐出又は停止を制御する。
【００３７】
図３は、本電解水生成装置１の制御部１５の動作の一形態を示している。人体検知センサー１３が人体を検知し（Ｓ１）、かつ、吐水モードが「還元水モード」である場合には（Ｓ２においてＹＥＳ）、制御部１５は、電磁弁１４を開放すると共に、陽極給電体４１及び陰極給電体４２に直流電圧を印加して、陰極室４ｂで電解還元水を生成させる（Ｓ３）。そして、制御部１５は、流路切替弁２１を制御して、吐水口８から電解還元水を吐出させる（Ｓ４）。これにより、ユーザーによる手かざし等の簡便な動作によって吐水口８から電解還元水が吐出され、電解水生成装置１の使い勝手が高められる。
【００３８】
一方、吐水モードが「還元水モード」でない場合（Ｓ２においてＮＯ）、すなわち、吐水モードが「酸性水モード」である場合には、制御部１５は、吐水口８からの電解酸性水の吐出を防止する（Ｓ５）。
【００３９】
電解酸性水の吐出の防止は、例えば、制御部１５が、陽極給電体４１及び陰極給電体４２への給電を停止することにより行なうことができる。この場合、電解室４で電気分解が生じないので、吐水口８から中性水が吐出される。この中性水は、浄水カートリッジ３によって浄化された浄水である。
【００４０】
電解酸性水の吐出の防止は、例えば、制御部１５が、電磁弁１４を閉鎖することによっても行なうことができる。この場合、吐水口８からは、電解水又は浄水が吐出されない。また、陽極室４ａの下流側に別途電磁弁を設けることにより、電解酸性水の吐出を回避することも可能である。
【００４１】
このようにして吐水口８からの電解酸性水の吐出が防止されることにより、ユーザーが無意識のうちに吐水口８から電解酸性水を吐出させることが抑制され、電解酸性水の誤用を抑制することが可能となる。
【００４２】
既に述べたように、吐水モードが「酸性水モード」である場合にあっても、ユーザーが第２ハンドル１２を操作することにより、吐水口８から電解酸性水を吐出させることが可能である。しかしながら、この場合、ユーザーが物理的に存在する第２ハンドル１２を意識的に触って操作することになるので、従来の電解水生成装置と同様に、電解酸性水の誤用は抑制される。
【００４３】
図４は、上記電解水生成装置１の別の実施形態である電解水生成装置１Ａを示している。電解水生成装置１Ａは、本体部２Ａに電解還元水のｐＨ値を検知するｐＨ検知手段２２を有する。ｐＨ検知手段２２は、電解室４に供給される水の流量を検知する流量センサー２３と、陽極給電体４１に流れる電流を検知する電流計２４とを含む。
【００４４】
流量センサー２３は、浄水カートリッジ３と電解室４との間に設けられている。流量センサー２３は、浄水カートリッジ３の上流側に配されていてもよい。陽極給電体４１と陰極給電体４２とに流れる電流は同等であるので、電流計２４は、陰極給電体４２に流れる電流を検知するものであってもよい。
【００４５】
電解室４にて生成される電解水のｐＨ値は、電解室４に供給される水の流量及び陽極給電体４１に流れる電流に依存する。従って、制御部１５は、流量センサー２３によって検知された流量及び電流計２４によって検知された電流に基づいてｐＨ値を算出することができる。この場合、制御部１５は、ｐＨ算出手段として機能し、流量センサー２３、電流計２４及び制御部１５は、ｐＨ検知手段として機能する。
【００４６】
上述した流量センサー２３、電流計２４及び制御部１５を含むｐＨ検知手段２２に替えて、例えば、ガラス電極を用いたｐＨセンサーが適用されていてもよい。
【００４７】
電解水生成装置１Ａは、水栓部６Ａに流路切替弁１６と、排水口１７とを有する。流路切替弁１６は、流路切替弁２１と吐水口８との間に設けられている。流路切替弁１６は、流路切替弁２１から流れ込む流路を吐水口８又は排水口１７に切り替える。排水口１７の替わりに、流路切替弁１６と排水口９とが接続されていてもよい。
【００４８】
図５は、電解水生成装置１Ａの制御部１５の動作の一形態を示している。この形態では、吐水モードとして、吐水口８から浄水を吐出する「浄水モード」が含まれている。また、電解還元水のｐＨ値に応じて、吐水口８から電解還元水を吐出させるか否かが判定される。
【００４９】
人体検知センサー１３が人体を検知し（Ｓ１１）、かつ、吐水モードが「浄水モード」である場合には（Ｓ１２においてＹＥＳ）、制御部１５は、陽極給電体４１及び陰極給電体４２に直流電圧を印加することなく、電磁弁１４を開放する。これにより、電気分解を伴わない中性の浄水が電解室４を通過して吐水口８から吐出される（Ｓ１３）。なお、上記「浄水モード」の動作は、図１及び図３に示される電解水生成装置１にも適宜採用可能である。
【００５０】
吐水モードが「還元水モード」である場合には（Ｓ１２においてＮＯ、Ｓ１４においてＹＥＳ）、制御部１５は、電磁弁１４を開放すると共に、陽極給電体４１及び陰極給電体４２に直流電圧を印加して、陰極室４ｂで電解還元水を生成させる（Ｓ１５）。ここで生成される電解還元水は、まず、ｐＨ値を検知するために用いられる。すなわち、制御部１５は、流量センサー２３によって検知された流量及び電流計２４によって検知された電流に基づいてｐＨ値を算出する（Ｓ１６）。
【００５１】
さらに、制御部１５は、電解還元水のｐＨ値が飲用に適する範囲内であるか否かを判定する（Ｓ１７）。飲用に適するｐＨ値の範囲は、予め定められており、本実施形態では、例えば、７〜１０である。電解還元水のｐＨ値が飲用に適する範囲内であると判定した場合（Ｓ１７においてＹＥＳ）、制御部１５は、陰極室４ｂで継続して電解還元水を生成させながら、流路切替弁２１及び流路切替弁１６を制御して、吐水口８から電解還元水を吐出させる（Ｓ１８）。
【００５２】
一方、電解還元水のｐＨ値が飲用に適する範囲外であると判定した場合（Ｓ１７においてＮＯ）、制御部１５は、陽極給電体４１及び陰極給電体４２への給電を停止し、電磁弁１４を閉鎖すると共に、流路切替弁２１及び流路切替弁１６を制御して、ｐＨ値を検知するために生成した電解還元水を排水口１７から排出させる（Ｓ１９）。これにより、高いｐＨ値の電解還元水を誤用することが抑制される。
【００５３】
Ｓ１４において吐水モードが「還元水モード」でない場合（Ｓ１４においてＮＯ）、すなわち、吐水モードが「酸性水モード」である場合には、制御部１５は、図３におけるＳ５と同様に、吐水口８からの電解酸性水の吐出を防止する（Ｓ２０）。
【００５４】
図６は、電解水生成装置１Ａの制御部１５の動作の別の形態を示している。この形態では、電解水生成装置１Ａの使用が開始されてからの期間に応じて、飲用に適するｐＨ値の範囲が二段階に設定されている。制御部１５は、日時を計数するタイマーを有している。電解水生成装置１Ａの使用開始からの期間は、制御部１５によって計数されている。そして、電解水生成装置１Ａの使用開始から予め定められた期間Ｔが経過するまでは、ユーザーが電解還元水に慣れていない初期使用であるとして、飲用に適するｐＨ値は、低く設定されている。予め定められた期間Ｔとは、例えば、２〜５日程度が望ましい。
【００５５】
図６において、Ｓ２１〜Ｓ２６は、図５に示されるＳ１１〜Ｓ１６と同様であるので、その説明は省略される。Ｓ２６に続いて、電解水生成装置１Ａの使用開始から予め定められた期間Ｔが経過した後であれば（Ｓ２７においてＹＥＳ）、制御部１５は、電解還元水のｐＨ値が継続した飲用に適する範囲内であるか否かを判定する（Ｓ２８）。継続した飲用に適するｐＨ値の範囲は、予め定められており、本実施形態では、例えば、７〜１０である。
【００５６】
電解還元水のｐＨ値が継続飲用に適する範囲内であると判定した場合（Ｓ２８においてＹＥＳ）、制御部１５は、上記Ｓ１８と同様に、吐水口８から電解還元水を吐出させる（Ｓ２９）。一方、電解還元水のｐＨ値が継続飲用に適する範囲外であると判定した場合（Ｓ２８においてＮＯ）、上記Ｓ１９と同様に、陽極給電体４１及び陰極給電体４２への給電を停止し、電磁弁１４を閉鎖すると共に、ｐＨ値を検知するために生成した電解還元水を排水口１７から排出させる（Ｓ３０）。
【００５７】
Ｓ２７において、電解水生成装置１Ａの使用開始から予め定められた期間Ｔが経過していない場合（Ｓ２７においてＮＯ）、制御部１５は、電解還元水のｐＨ値が初期飲用に適する範囲内であるか否かを判定する（Ｓ３１）。初期飲用に適するｐＨ値の範囲は、予め定められており、本実施形態では、例えば、７〜８である。
【００５８】
電解還元水のｐＨ値が初期飲用に適する範囲内であると判定した場合（Ｓ３１においてＹＥＳ）、制御部１５は、Ｓ２９に移行して、吐水口８から電解還元水を吐出させる。一方、電解還元水のｐＨ値が初期飲用に適する範囲外であると判定した場合（Ｓ３１においてＮＯ）、Ｓ３０に移行して、陽極給電体４１及び陰極給電体４２への給電を停止し、電磁弁１４を閉鎖すると共に、ｐＨ値を検知するために生成した電解還元水を排水口１７から排出させる。
【００５９】
Ｓ２４において吐水モードが「還元水モード」でない場合（Ｓ２４においてＮＯ）、すなわち、吐水モードが「酸性水モード」である場合には、制御部１５は、図３におけるＳ５と同様に、吐水口８からの電解酸性水の吐出を防止する（Ｓ３２）。
【００６０】
以上のような構成を有する本実施形態の電解水生成装置１又は１Ａによれば、制御部１５は、吐水モードが「還元水モード」である場合に、人体検知センサー１３が人体を検知すると、吐水口８から電解還元水を吐出させる。これにより、ユーザーによる手かざし等の簡便な動作によって吐水口８から電解還元水が吐出され、電解水生成装置の使い勝手が高められる。一方、吐水モードが「酸性水モード」である場合には、人体検知センサー１３が人体を検知しても、制御部１５は、吐水口８からの電解酸性水の吐出を防止する。これにより、ユーザーが無意識のうちに吐水口８から電解酸性水を吐出させることが抑制され、電解酸性水の誤用を抑制することが可能となる。
【００６１】
以上、本発明の電解水生成装置１が詳細に説明されたが、本発明は上記の具体的な実施形態に限定されることなく種々の態様に変更して実施される。すなわち、電解水生成装置１は、少なくとも、電気分解される水が供給される電解室４が形成された電解槽５と、互いに対向して配置された陽極給電体４１及び陰極給電体４２と、電解室４を陽極室４ａと陰極室４ｂとに区分する隔膜４３と、吐水モードが還元水モードであるとき電解還元水を吐出し、吐水モードが酸性水モードであるとき電解酸性水を吐出する吐水口８と、非接触で人体を検知する人体検知センサー１３とを備え、人体検知センサー１３が人体を検知し、かつ、吐水モードが還元水モードである場合には、吐水口８から電解還元水を吐出させ、人体検知センサー１３が人体を検知し、かつ、吐水モードが酸性水モードである場合には、吐水口８からの電解酸性水の吐出を防止する制御部１５をさらに備えていればよい。
【符号の説明】
【００６２】
１    電解水生成装置
１Ａ  電解水生成装置
４    電解室
４ａ  陽極室
４ｂ  陰極室
５    電解槽
７    操作部（モード切替手段）
８    吐水口
９    排水口
１３  人体検知センサー
１４  電磁弁（吐水制御手段）
１５  制御部（モード切替手段、吐水制御手段）
４１  陽極給電体
４２  陰極給電体
４３  隔膜
【要約】
【課題】吐水の入力を非接触で自動的に行なって使い勝手を高めると共に、電解酸性水の誤用を抑制できる電解水生成装置を提供する。
【解決手段】電解水生成装置１は、電気分解される水が供給される電解室４が形成された電解槽５と、互いに対向して配置された陽極給電体４１及び陰極給電体４２と、電解室４を陽極室４ａと陰極室４ｂとに区分する隔膜４３と、吐水モードが還元水モードであるとき電解還元水を吐出し、吐水モードが酸性水モードであるとき電解酸性水を吐出する吐水口８とを備え、非接触で人体を検知する人体検知センサー１３と、人体検知センサー１３が人体を検知し、かつ、吐水モードが還元水モードである場合には、吐水口８から電解還元水を吐出させ、人体検知センサー１３が人体を検知し、かつ、吐水モードが酸性水モードである場合には、吐水口８からの電解酸性水の吐出を防止する制御部１５をさらに備える。
【選択図】  図１【図１】
0005913513.tif 000002
【図２】
0005913513.tif 000003
【図３】
0005913513.tif 000004
【図４】
0005913513.tif 000005
【図５】
0005913513.tif 000006
【図６】
0005913513.tif 000007